(57)【要約】【課題】ページング読影を効率良く行うことを可能にするとともに病変部位の見落としを抑制できる表示装置及びその制御方法を提供する。【解決手段】画像データに基づく画像を表示する表示手段と、前記画像データにおける所定のオブジェクトの有無及び位置の情報を取得する取得手段と、前記オブジェクトの有無及び位置に基づき前記表示手段による表示のコントラストを制御する制御手段と、を備える表示装置。【選択図】図６
2017161788.tif 000002
【特許請求の範囲】
【請求項１】
画像データに基づく画像を表示する表示手段と、
前記画像データにおける所定のオブジェクトの有無及び位置の情報を取得する取得手段と、
前記オブジェクトの有無及び位置に基づき前記表示手段による表示のコントラストを制御する制御手段と、
を備える表示装置。
【請求項２】
前記制御手段は、前記オブジェクトの有無及び位置に基づき、前記画像データにおいて前記コントラストの制御を行う領域を決定する請求項１に記載の表示装置。
【請求項３】
前記制御手段は、前記オブジェクトを含む所定範囲において前記コントラストの制御を行う請求項２に記載の表示装置。
【請求項４】
前記制御手段は、前記コントラストの制御として、コントラストを高める制御を行う請求項１〜３のいずれか１項に記載の表示装置。
【請求項５】
前記取得手段は、前記画像データにおける前記オブジェクトの大きさの情報をさらに取得し、
前記制御手段は、前記オブジェクトの大きさにも基づき前記コントラストの制御を行う請求項１〜４のいずれか１項に記載の表示装置。
【請求項６】
前記取得手段は、前記オブジェクトの種類の情報をさらに取得し、
前記制御手段は、前記オブジェクトの種類にも基づき前記コントラストの制御を行う請求項１〜５のいずれか１項に記載の表示装置。
【請求項７】
前記画像データにおける前記オブジェクトの位置、大きさ、及び種類の少なくともいずれかを検出する検出手段をさらに備え、
前記取得手段は、前記検出手段による検出結果に基づき前記オブジェクトの位置、大きさ、又は種類の情報を取得する請求項１〜６のいずれか１項に記載の表示装置。
【請求項８】
前記制御手段は、連続的に入力される複数の画像データにおける前記オブジェクトの有無の情報を取得し、入力される画像データの前又は後の画像データに前記オブジェクトが含まれておらず、入力される画像データに前記オブジェクトが含まれている場合に、前記オブジェクトの位置情報に基づくコントラストの制御を行う請求項１〜７のいずれか１項に記載の表示装置。
【請求項９】
前記制御手段は、連続的に入力される複数の画像データにおける前記オブジェクトの種類の情報を取得し、入力される画像データの前又は後の画像データに含まれるオブジェクトの種類と、入力される画像データに含まれるオブジェクトの種類とが異なる場合に、前記オブジェクトの位置情報に基づくコントラストの制御を行う請求項１〜８のいずれか１項に記載の表示装置。
【請求項１０】
前記制御手段は、入力される画像データに前記オブジェクトが含まれない場合、前記コントラストの制御を行わない請求項１〜９のいずれか１項に記載の表示装置。
【請求項１１】
前記画像データは、被写体を異なる位置で撮像して得られる断層画像の画像データであり、
前記所定のオブジェクトは、前記被写体に含まれる病変の候補である請求項１〜１０の
いずれか１項に記載の表示装置。
【請求項１２】
独立に発光を制御可能な複数の光源を有する発光手段をさらに備え、
前記表示手段は、前記発光手段からの光を前記画像データに基づき変調することで画像を表示するものであり、
前記制御手段は、前記複数の光源のうち前記オブジェクトの位置に対応する光源の発光量を当該光源に対応する領域の画像データに基づき制御することにより前記コントラストの制御を行う請求項１〜１１のいずれか１項に記載の表示装置。
【請求項１３】
前記制御手段は、前記オブジェクトの位置を含む所定範囲に対応する光源の発光量を当該光源に対応する領域の画像データに基づき制御することにより前記コントラストの制御を行う請求項１２に記載の表示装置。
【請求項１４】
前記制御手段は、画像処理により前記コントラストの制御を行う請求項１〜１１のいずれか１項に記載の表示装置。
【請求項１５】
画像データに基づく画像を表示する表示手段を備えた表示装置の制御方法であって、
前記画像データにおける所定のオブジェクトの位置の情報を取得する取得工程と、
前記オブジェクトの位置に基づき前記表示手段による表示のコントラストを制御する制御工程と、
を有する表示装置の制御方法。
【請求項１６】
請求項１５に記載の表示装置の制御方法の各工程をコンピュータに実行させるプログラム。
【発明の詳細な説明】
【技術分野】
【０００１】
本発明は、表示装置及びその制御方法に関するものである。
【背景技術】
【０００２】
近年、医用画像のデジタル化に伴い、読影現場では医用ビューアを用いたモニタ診断が主流となりつつなる。また、コンピュータ断層撮影（ＣＴ：Computerized Tomography）
や核磁気共鳴断層撮影（ＭＲＩ：Magnetic Resonance Imaging）等の医用画像撮像装置がある。このような装置（以下、モダリティという）によっては、診断にあたり多数の画像を読影しなければならず、読影にかかる時間も長くなる。そのため、限られた時間内で多くの症例の読影が要求される現在において、効率良く読影できる読影方法が必要である。
【０００３】
読影方法の１つとして、モダリティで生成された断層画像群を、モニタ上に１枚ずつ順次切り替えながら表示し、読影を行う所謂ページング読影（シネ再生）が知られている。ページング読影の主な目的は、短時間で病変部位の存在個所・存在範囲にあたりを付けることであり、その後読影医はあたりを付けた画像に対し詳細な読影を行う。このようにページング読影は、病変候補が存在する画像を多数の画像の中から効率良く特定し、読影を行うことができる。
【０００４】
ページング読影を、より効率的に実施するための技術として、病変候補が存在しない部分について画像送り速度を早くすることで、全断層画像群の読影時間を短縮する技術が公開されている（特許文献１)。また、病変候補の有無に関わらず、読影医が予めマーキン
グ指定した区間について画像送り速度を変更する技術が公開されている（特許文献２）。これらの技術によれば、病変部位の多い画像の再生速度を、それ以外の画像よりも相対的に遅く設定することができ、より見落としの確率を低減させることができる。
【先行技術文献】
【特許文献】
【０００５】
【特許文献１】特開２００７−２５２７６３号公報
【特許文献２】特開２００１−１２８０９８号公報
【発明の概要】
【発明が解決しようとする課題】
【０００６】
しかしながら従来技術は、病変候補の数や事前のマーキング設定によって再生速度を遅くすることで、見落としの発生を抑制できる一方、短時間で病変部位の所在個所にあたりを付けるというページング読影本来の効果を十分に発揮できないという別の課題がある。また、見落とし防止のためにコンピュータ支援診断システム（ＣＡＤ：Computer-Aided Diagnosis）の解析結果としての病変部位を、単純にページング読影時に表示させると、読影医に明らかな先入観を与えてしまうという懸念があった。
【０００７】
本発明は、ページング読影を効率良く行うことを可能にするとともに病変部位の見落としを抑制できる表示装置及びその制御方法を提供することを目的とする。
【課題を解決するための手段】
【０００８】
本発明は、画像データに基づく画像を表示する表示手段と、
前記画像データにおける所定のオブジェクトの有無及び位置の情報を取得する取得手段と、
前記オブジェクトの有無及び位置に基づき前記表示手段による表示のコントラストを制
御する制御手段と、
を備える表示装置である。
【０００９】
本発明は、画像データに基づく画像を表示する表示手段を備えた表示装置の制御方法であって、
前記画像データにおける所定のオブジェクトの位置の情報を取得する取得工程と、
前記オブジェクトの位置に基づき前記表示手段による表示のコントラストを制御する制御工程と、
を有する表示装置の制御方法である。
【発明の効果】
【００１０】
本発明によれば、ページング読影を効率良く行うことを可能にするとともに病変部位の見落としを抑制できる表示装置及びその制御方法を提供することができる。
【図面の簡単な説明】
【００１１】
【図１】実施例１の医療画像表示システムのシステム構成を示す図
【図２】実施例１のモダリティの構成を示すブロック図
【図３】実施例１の端末の構成を示すブロック図
【図４】実施例１の画像表示位置情報を説明するための図
【図５】実施例１の検出部が検出する病変候補の情報の一例を示す図
【図６】実施例１の表示装置の構成を示すブロック図
【図７】実施例１の端末及び表示装置によるコントラスト制御を示すフローチャート
【図８】実施例１の１画像におけるローカルディミングの対象領域の一例を示す図
【図９】実施例１の断層画像におけるローカルディミングの対象領域の一例を示す図
【図１０】実施例２の断層画像に対する病変候補の一例を示す図
【図１１】実施例２の検出部が検出するデータの一例を示す図
【図１２】実施例２の端末及び表示装置によるコントラスト制御のフローチャート
【図１３】実施例２の断層画像におけるコントラスト制御される画像ＩＤを示す図
【発明を実施するための形態】
【００１２】
（実施例１）
以下、本発明の実施例１について、図面を参照して説明する。
実施例１では、表示装置において、断層画像データの付帯情報から病変の領域情報（位置及び大きさ）を抽出し、実際にモニタ上に表示される病変サイズを算出し、算出された値を用いて、コントラスト制御を行う範囲を決定する。
【００１３】
図１は、実施例１に係る断層画像データを機器間伝送するコンピュータネットワークシステムを示す模式図である。図１に示すように、モダリティ１０１、サーバ１０２、端末１０３は、院内ＬＡＮ（Local Area Network）１００を介して接続されている。ここで、モダリティ１０１とは、医用断層画像を撮影、生成する装置である。例えば、Ｘ線ＣＴ、ＭＲＩ、ＰＥＴ（Positron-Emission Tomography）、ＳＰＥＣＴ（Single-Photon Emission Computerised Tomography）等である。また、サーバ１０２は、モダリティ１０１が撮影、生成した断層画像データを院内ＬＡＮ１００経由で受信し保管する画像管理装置である。端末１０３は、ネットワーク経由で取得した断層画像データを表示装置１０４に表示するためのビューワ機能を有する表示制御装置であり例えばＰＣ（Personal Computer）
等である。端末１０３と表示装置１０４は、ＤＶＩ（Digital Visual Interface）のような画像データ線１０５と、ＵＳＢ（Universal Serial Bus）のような通信制御線１０６で接続される。
【００１４】
図２は、実施例１に係るモダリティ１０１の構成を示すブロック図である。図２に示す
ように、モダリティ１０１は、被検体２０１（被写体）を異なる位置で撮像して得られる断層画像を撮影する撮像部２００、画像データを生成する生成部２０２、画像データを送信する送信部２０４、を備え、院内ＬＡＮ１００に接続されている。
モダリティ１０１は、撮像部２００において被検体２０１の断層画像を撮影する。生成部２０２は、撮像部２００で撮影された断層画像から医用画像フォーマットの断層画像データ２０３を生成する。
送信部２０４は、モダリティ１０１の操作者（ユーザ）の要求により、生成部２０２で生成した断層画像データ２０３を、院内ＬＡＮ１００経由でサーバ１０２に送信する。あるいは、ユーザからの要求により、院内ＬＡＮ１００経由で端末１０３に断層画像データ２０３を送信する。
【００１５】
図３は、実施例１に係る端末１０３の構成を示すブロック図である。端末１０３は、ＵＩ（User Interface）部３０１、受信部３０２、制御部３０３、検出部３０６、記憶部３０７、出力部３０８、通信部３０９を有し、バス３１０を介して相互に通信可能である。また、制御部３０３は、位置制御部３０４及び再生制御部３０５を有する。以下、各処理部について説明する。
【００１６】
ＵＩ部３０１は、端末１０３と接続されている入力デバイス（例えば、マウスやキーボード）を介し、ユーザ操作を受け付ける。また、ユーザ操作により入力された指示を各処理部へ通知する。
受信部３０２は、院内ＬＡＮ１００を介して、サーバ１０２から断層画像データ２０３を受信する。また、画像のデコード処理等の必要に応じて受信した画像データを後述する記憶部３０７に記憶する。
【００１７】
制御部３０３は、受信部３０２を介して取得した断層画像データ２０３を表示するための制御や、ユーザ操作を受け付けるためのＧＵＩ（Graphical User Interface）生成及びユーザ操作に応じた制御を行う。例えば、制御部３０３は、取得した画像データを表示するために記憶部３０７を用いてデコードし、デコードして得られた表示データを不図示のフレームバッファに展開し、出力部３０８に出力する。また、ユーザに操作を促すためのＧＵＩを作成し、上記フレームバッファに展開した画像データに重畳して出力部３０８に出力する。
【００１８】
位置制御部３０４は、後述する通信部３０９を介して表示装置１０４の解像度を取得し、表示装置１０４における断層画像の表示位置を制御及び管理する。位置制御部３０４は、必要に応じて断層画像の表示位置情報を通信部３０９を介して表示装置１０４に送信する。
図４に基づき、位置制御部３０４が表示装置１０４に送信する表示情報について説明する。
位置制御部３０４は、表示装置１０４における表示画像（断層画像の一部又は全部を表示するウィンドウ）の表示位置の情報として、表示パネル６０９（後述）における表示画像の座標を送信する。表示画像は、図４（ａ）のようにビューアアプリケーションの画面内でウィンドウ表示され、図４（ｂ）に示すように、その表示範囲は断層画像の一部又は全部である。ウィンドウ位置や表示範囲の指定はユーザ操作により入力されるようにしても良い。表示画像の位置は、図４（ａ）に示すように、表示パネル６０９の最も左上の画素を原点（０，０）とする座標で表す。具体的には、表示画像の最も左上の画素の座標（Ｘｍ１，Ｙｍ１）及び最も右下の画素の座標（Ｘｍ２，Ｙｍ２）を表示画像の位置情報とする。また、位置制御部３０４は、図４（ｂ）で示すように、断層画像の最も左上の画素を原点とする座標により、断層画像内の表示範囲の位置を表す。具体的には、断層画像内の表示範囲の位置は、表示画像の最も左上の画素の座標（Ｘｉ１，Ｙｉ１）及び最も右下の画素の座標（Ｘｉ２，Ｙｉ２）で表す。座標の数値の単位はピクセルである。これらの
情報は、ユーザがページング読影を開始する前の段階で端末１０３から表示装置１０４に送信される。
【００１９】
再生制御部３０５は、ユーザにより指定されたページング読影のための画像送り速度に従い、出力部３０８に出力する断層画像データを順次切り替える制御を行う。
【００２０】
検出部３０６は、受信部３０２を介して受信した断層画像データ２０３の各画像内における所定のオブジェクトとして、病変候補を検出する。検出した病変候補の情報を図５に示す。ここでは、病変候補の情報は、病変の種類５０１、病変の位置座標５０２、画像内の病変の大きさ５０３を含む。ここで位置座標及び大きさは、画像データの最も左上の画素を原点とした座標系で表される。例えば、図５（ａ）の画像ＩＤ８の病変候補の画像は、図５（ｂ）の断層画像における病変候補５０４であり、断層画像の最も左上の画素を原点とする座標系で点（２００，５０）を中心とする半径１５ピクセルの円形の領域である。図５（ａ）に示すような病変候補データは、ページング読影開始前に後述する通信部３０９を介して表示装置１０４に送信される。
【００２１】
記憶部３０７は、ハードディスクやＲＯＭ（Read-Only Memory）等の不揮発性メモリ及びＲＡＭ（Random Access Memory）等の揮発性メモリにより構成される。記憶部３０７は、制御部３０３を実現するためのプログラムの記憶、プログラムを実行するためのプログラムデータの展開、また、表示装置１０４に送信するためのデータの一時的な記憶のためのメモリ領域として使用される。
【００２２】
出力部３０８は、不図示のフレームバッファに展開された画像データ及びこれに重畳されたＧＵＩデータを表示データとして表示装置１０４に出力する。
通信部３０９は、表示装置１０４とデータを送受信するための処理を行い、病変候補データ等を送信し、表示装置１０４の解像度の情報等を受信する。
【００２３】
図６は、実施例１に係る表示装置１０４の構成を示すブロック図である。表示装置１０４は、入力部６０１、通信部６０２、制御部６０５、ＬＤ（Local Dimming）制御部６０
６、バックライト制御部６０７、バックライト６０８、表示パネル６０９により構成され、バス６１０を介して相互に通信可能である。また、通信部６０２は、病変情報取得部６０３及び表示情報取得部６０４を有する。以下、各処理部について説明する。
【００２４】
入力部６０１は、端末１０３と画像データ線１０５により接続され、端末１０３からの表示画像データが入力される。
通信部６０２は、端末１０３と通信制御線１０６により接続され、端末１０３と各種データの送受信を行う。
病変情報取得部６０３は、端末１０３の検出部３０６が検出した断層画像データ２０３の病変候補データをページング読影開始前に取得し、必要な期間取得したデータを保持する。
【００２５】
表示情報取得部６０４は、端末１０３の制御部３０３が制御する画面内のウィンドウの位置情報や段差王画像内の表示画像の位置情報に加え、ページング読影開始通知やページング読影の画像送り速度の情報等を受信する。
制御部６０５は、表示装置１０４の各処理部の動作を制御し、表示装置１０４の全体の制御を行う。
【００２６】
ＬＤ制御部６０６は、表示装置１０４による表示のコントラストを高めるためのバックライト６０８のローカルディミング制御を行う。ＬＤ制御部６０６は、入力画像のフレーム毎に、バックライト６０８が有する複数の光源（後述）の各々に対応する領域における
画像データの特徴量に基づき、各光源の発光量を算出する。なお、ローカルディミングについては既に公知の技術であり、ここでは詳細な説明は割愛する。実施例１の特徴点は、このようなローカルディミング制御を実施する対象のフレームを、病変情報取得部６０３及び表示情報取得部６０４により取得した情報に基づき決定する点にある。詳細は後述する。
【００２７】
バックライト制御部６０７は、ＬＤ制御部６０６で算出された発光量に基づき、バックライト６０８の各光源を点灯制御する。
バックライト６０８は、表示パネル６０９の背後に配置され、表示パネル６０９を照明する光を発する発光装置である。バックライト６０８は、独立に発光を制御可能な複数の光源を有する。光源としてはＬＥＤ（Light Emitting Diode）を用いるが、発光量を制御可能であればＬＥＤに限らない。バックライト６０８の各ＬＥＤの発光量は、バックライト制御部６０７により制御される。
表示パネル６０９は、入力部６０１により受信した画像データに基づきバックライト６０８からの光を変調することにより画像データに基づく画像を表示するものであり、例えば液晶パネル等により構成される。
【００２８】
図７は、実施例１に係る端末１０３と表示装置１０４のインタラクションを含むページング読影におけるコントラスト制御を示すフローチャートである。特に記載のない限りは、端末１０３の処理は制御部３０３が、表示装置１０４の処理は制御部６０５が行う。ユーザが端末１０３の入力デバイスを用いてページング読影のために表示する断層画像データ２０３を選択すると、このフローチャートの処理が開始される。
【００２９】
Ｓ７０１において、端末１０３の受信部３０２は、院内ＬＡＮ１００に接続されたサーバ１０２から、ユーザが指定した断層画像データ２０３を取得する。
Ｓ７０２において、端末１０３の検出部３０６は、Ｓ７０１で取得した断層画像データ２０３の各画像に対して病変候補の検出を行う。なお、病変候補の検出については既にその手法が多数公開されており、ここではそのうちの一つの手法を用いるものとし、詳細な説明は割愛する。
Ｓ７０３にて、制御部３０３は、Ｓ７０１で取得した断層画像データ２０３の全ての画像に対して病変候補の検出処理が終了したかを判定する。全画像に対して検出が終了した場合（Ｓ７０３のＹ）、Ｓ７０４に進み、終了していない場合（Ｓ７０３のＮ）、Ｓ７０２を繰り返す。
【００３０】
Ｓ７０４において、制御部３０３は、断層画像データ２０３の全画像について、図５に示したような画像ＩＤと対応付けられた病変の種類、位置座標及び大きさの情報を一時的に記憶部３０７に記憶する。
Ｓ７０５において、制御部３０３は、ユーザが端末１０３の入力デバイスを用いて、先に指定した断層画像データ２０３のページング読影を開始する要求を受け付けた場合（Ｓ７０５でＹ）、Ｓ７０６に処理を進める。一方、ユーザからのページング読影を開始する要求が来るまでは、Ｓ７０５で待機する。
【００３１】
Ｓ７０６において、制御部３０３は、病変情報と表示情報を表示装置１０４に送信する。具体的には、制御部３０３は、記憶部３０７に一時的に記憶した図５に示す病変候補データと、図４に示す表示情報とを、通信部３０９を介して表示装置１０４に送信する。表示情報は、現在のウィンドウの位置情報（Ｘｍ１，Ｙｍ１），（Ｘｍ２，Ｙｍ２）及び断層画像内の表示範囲の位置情報（Ｘｉ１，Ｙｉ１），（Ｘｉ２，Ｙｉ２）を含む。なお、ここでウィンドウには、ページング読影開始前には、断層画像データ２０３の画像ＩＤ＝１の画像が表示されているものとする。ユーザによる変更操作がない限りは、ウィンドウ内に断層画像内の指定された表示範囲の全体が表示されるようスケーリングされるものと
する。なお、ページング読影開始前のウィンドウの初期状態や、ビューアアプリケーションにおけるウィンドウのスケーリング等の表示内容は、ここで示す例に限らない。
【００３２】
Ｓ７０７において、表示装置１０４は、通信部６０２により、端末１０３から病変候補データ及び表示情報を取得する。
Ｓ７０８において、ＬＤ制御部６０６は、Ｓ７０７で取得した病変候補データ及び表示情報に基づき、断層画像データ２０３の全画像に対してローカルディミングを行うか否か及び行う場合はその対象領域を決定する。ＬＤ制御部６０６は、病変候補の位置座標を中心とした矩形領域をローカルディミングの対象領域とし、その縦横の長さは病変候補の大きさの４倍とする。なお、ローカルディミングの対象領域は、病変候補の位置を含む所定範囲であればよく、ここで例示した大きさは一例であり、これに限られない。また、ＬＤ制御部６０６は、病変候補の有無に基づき、病変候補が存在しない画像については、ローカルディミグを行わない（ローカルディミングの対象領域は存在しない）。
図８は、断層画像データ２０３の画像ＩＤ８の画像において決定されるローカルディミングの対象領域を示す図である。画像ＩＤ８の画像では、病変候補の位置座標は（２００，５０）、病変候補の大きさは１５ピクセルであるため、病変候補の代表的な位置を中心とする縦横６０ピクセルの矩形領域８０１が、ローカルディミングの対象領域として決定される。ＬＤ制御部６０６は、Ｓ７０７で取得した表示情報（パネル内のウィンドウの位置及び断層画像内の表示範囲の位置）に基づき、ローカルディミング対象領域８０１に対応する表示パネル６０９の領域を算出する。ＬＤ制御部６０６は、算出した領域に対応するバックライト６０８の光源をローカルディミングによる発光量の制御対象とする。
【００３３】
Ｓ７０９において、端末１０３の再生制御部３０５は、表示する断層画像データ２０３の画像ＩＤを通信部３０９を介して表示装置１０４に送信する。
Ｓ７１０において、表示装置１０４の制御部６０５は、通信部６０２を介して端末１０３から表示対象の画像ＩＤを受信した場合（Ｓ７１０でＹ）、Ｓ７１１に処理を進める。一方、画像ＩＤの受信が確認されるまでの間（Ｓ７１０でＮ）、制御部６０５はＳ７１０で待機する。
【００３４】
Ｓ７１１において、表示装置１０４のＬＤ制御部６０６は、通信部６０２を介して受信した画像ＩＤに対応する画像についてＳ７０８で算出したローカルディミングの対象領域においてローカルディミングを行うようバックライト制御部６０７に通知する。バックライト制御部６０７は、ＬＤ制御部６０６から受信したローカルディミング対象領域に対応するバックライト６０８の光源の発光量を、その光源に対応する領域における画像データの特徴量（平均輝度、最大輝度等）に基づき制御する。
【００３５】
Ｓ７１２において、端末１０３の制御部３０３は、出力部３０８を介して画像ＩＤに対応する画像データを出力する。
Ｓ７１３において、表示装置１０４は、入力部６０１で受信した画像データを表示パネル６０９に出力する。このとき、バックライト６０８は、この画像データにおける病変候補の位置座標を中心とする領域においてローカルディミング制御されるため、病変候補の部分がコントラストを高めてされる。
Ｓ７１４において、端末１０３の制御部３０３は、ページング読影を継続するか終了するか判定し、継続する場合（Ｓ７１４でＮ）、Ｓ７０９に戻って次の画像ＩＤを表示装置１０４に送信し、引き続きページング読影を行う。一方、ユーザからの入力又は断層画像データ２０３の最後の画像まで表示されたこと等により、ページング読影を終了する場合（Ｓ７１４でＹ）、このフローチャートの処理は終了する。
【００３６】
図９を用いて、断層画像データ２０３の各画像に設定されるローカルディミングの対象領域について説明する。図９（ａ）は、断層画像データ２０３の各画像における病変候補
の有無、位置、及び大きさを模式的に示した図であり、画像ＩＤ＝３〜１０及び画像ＩＤ１５〜１８の画像に病変候補が存在している。
図９（ｂ）に各画像に対するローカルディミング制御のＯＮ／ＯＦＦと、ＯＮの場合のローカルディミングの対象領域を示す。図９（ａ）に示す通り、画像ＩＤ＝３〜１０及び画像ＩＤ１５〜１８の画像には病変候補が存在する。そのため、ＬＤ制御部６０６によりローカルディミングの対象領域が設定され、この対象領域に対応するバックライト６０８の光源に対しローカルディミング制御が行われる。一方、画像ＩＤ＝３〜１０及び画像ＩＤ１５〜１８の画像における、ローカルディミングの対象領域以外の領域に対応する光源については、ローカルディミング制御は行われない。これにより、病変候補の近傍領域においてのみコントラストを高める表示制御が行われることになる。また、病変候補が存在しない画像ＩＤ＝１〜２，１１〜１４，１９その他の画像に対しては、病変候補が存在しないため、ローカルディミング制御をＯＦＦにする。
なお、実施例１では、病変候補を含む画像において、バックライト６０８の複数の光源のうち病変候補の位置に対応する光源（特に、病変候補の位置を含む所定範囲に対応する光源）の発光量を、当該光源に対応する領域の画像データに基づき制御する例を説明した。従って、実施例１は、病変候補及びその近傍の領域においてのみローカルディミングが行われる例であるが、病変候補を含む画像では画像全体でローカルディミングを行っても良い。いずれにしても、画像ＩＤの順番に連続的に読影していった場合に、病変候補が含まれる画像においてローカルディミングが開始されるため、観察者に注意喚起する効果があり、病変を見逃すことを抑制する効果を奏する。
【００３７】
実施例１の表示装置によれば、病変候補がある位置の近傍の領域において表示のコントラストを高くする処理（バックライトのローカルディミング制御）を行うため、微細な病変も見つけ易くなる。これにより、ページング読影の再生時間を増加させることなく病変部位の見落としを抑制することが可能になる。
なお、実施例１では、ローカルディミング制御により表示コントラストを高める処理を行う例を示したが、表示コントラストを高める処理はこれに限ることなく、例えば公知の画像処理等により実現することも可能である。
また、実施例１では、端末１０３にて病変候補を検出する例を示したが、端末１０３は、ＣＡＤやモダリティ等の外部装置による病変候補の検出結果を画像データとともに取得しても良い。
また、実施例１では、端末１０３と表示装置１０４の２つの装置により構成されるシステムにおける表示装置として本発明を実施する例を説明したが、表示装置が端末の機能を有していても良い。その場合、例えば、病変候補の位置、大きさ、種類等を検出する検出手段は、表示装置が有することになる。
また、実施例１で、コントラスト強調処理の範囲は病変公報の位置と大きさに基づき決定し、病変の種類を考慮しない例を示したが、石灰化や腫瘤等、病変の種類に応じてコントラスト制御の方法やコントラスト制御をする範囲を異ならせるようにしても良い。
また、実施例１では、ページング読影の開始前に、断層画像データ２０３に含まれる全ての画像について（全ての画像ＩＤについて）病変候補の有無及び位置に基づきローカルディミングの対象領域を判定した（Ｓ７０９）。そして、全ての画像ＩＤについてローカルディミングを行うか否か、行う場合にはどの領域を対象として行うかを予め決定した後に、ページング読影が開始される場合を例示した。しかし、ページング読影を開始した後に、新たな画像が入力されるたびに、病変候補の有無、位置、サイズに基づき、ローカルディミングを行うか、行う場合にはどの領域に対して行うか、を判定するようにしても良い。この場合、Ｓ７１０で表示する画像の画像ＩＤを受信した後、Ｓ７１１の前に、受信した画像ＩＤに対応する図５の病変候補データの諸情報を参照し、ローカルディミング制御の対象領域を決定するステップが挿入されることになる。
【００３８】
（実施例２）
実施例１では、連続的に入力される複数の画像データにおいて、病変候補が存在する画像が入力されたときに表示コントラストを高める制御を行う例を示した。実施例２では、表示コントラストを高める制御を開始する条件（タイミング）が実施例１と異なる例を説明する。以下、主に実施例１と異なる部分について説明する。実施例１と同一の構成を有する部分については、実施例１と同一の符号を付与し、その詳細説明は割愛する。
【００３９】
図１０及び図１１を用いて実施例２における端末１０３の検出部３０６が出力する病変候補データについて説明する。図１０に検出部３０６に入力される断層画像データ２０３を示す。この断層画像データ２０３には複数の病変候補１０００，１００１が含まれている。また、図１１に検出部３０６が出力する病変候補データを示す。実施例２では、検出部３０６は、断層画像データ２０３に含まれる複数の画像の各々に対し、病変の種類１１０１、病変位置座標１１０２、病変の大きさ１１０３に加え、病変候補ＩＤ１１０４を特定する。同一の病変候補には同一の病変候補ＩＤが割り当てられる。実施例２では、この病変候補ＩＤに基づき、表示コントラストを高める制御を行うか否かを判定することを特徴とする。図１０、図１１の例では、病変候補１０００に対応する病変候補ＩＤ＝１、病変候補１００１に対応する病変候補ＩＤ＝２とする。
【００４０】
検出部３０６は、複数の画像にまたがる一連の病変候補を同一の病変候補であると判定する。具体的には、検出部３０６は、ある画像ＩＤの画像に病変候補が存在した場合、その病変候補の種類と同じ種類の病変候補が、１つ前の画像ＩＤの画像内に存在するかを、図１１の病変の種類１１０１の情報に基づき判定する。１つ前の画像ＩＤの画像内に、病変の種類１１０１が同じ病変候補が存在する場合、検出部３０６は、病変の位置座標１１０２と病変の大きさ１１０３の情報に基づき、それらの病変候補の存在領域に重なっている部分が存在するかを判定する。病変候補の存在領域の一部が重なっている場合、検出部３０６は、それらの病変候補は同一の病変候補であると判定する。
【００４１】
図１２は、実施例２に係る端末１０３と表示装置１０４のインタラクションを含むページング読影におけるコントラスト制御を示すフローチャートである。実施例１で説明した図７のフローチャートと同一内容の処理については、同一の符号を付与しその説明は割愛する。また、特に記載のない限りは、端末１０３の処理は制御部３０３が、表示装置１０４の処理は制御部６０５が行う。
【００４２】
Ｓ７０７において、表示装置１０４は、通信部６０２により、端末１０３から図１１に示した病変候補データ及び表示情報を取得する。
Ｓ７０９において、端末１０３の再生制御部３０５は、表示する断層画像データ２０３の画像ＩＤを通信部３０９を介して表示装置１０４に送信する。
Ｓ７１０において、表示装置１０４の制御部６０５は、通信部６０２を介して端末１０３から表示対象の画像ＩＤの受信を待機する。画像ＩＤを受信した場合（Ｓ７１０でＹ）、制御部６０５は、Ｓ１２０１に処理を進める。一方、画像ＩＤの受信が確認されるまでの間（Ｓ７１０でＮ）、制御部６０５はＳ７１０で待機する。
【００４３】
Ｓ１２０１において、表示装置１０４の制御部６０５は、受信した画像ＩＤに対応する病変候補ＩＤと、該画像ＩＤの前後の画像の夫々の病変候補ＩＤを比較する。比較の結果、病変候補ＩＤに変化があった場合（Ｓ１２０１でＹ）、制御部６０５は、Ｓ１２０２に処理を進める。一方、病変候補ＩＤに変化がなかった場合（Ｓ１２０１でＮ）、制御部６０５は、Ｓ７１３に処理を進める。
【００４４】
病変候補ＩＤの比較について、図１１の病変候補データを用いて補足説明する。例えば、制御部６０５がＳ７１０で受信する画像ＩＤがＩＤ＝２の場合、制御部６０５は、Ｓ１２０１において、該画像ＩＤの病変候補ＩＤと、１つ前の画像（画像ＩＤ＝１）の病変候
補ＩＤと、１つ後の画像（画像ＩＤ＝３）の病変候補ＩＤを比較する。ここでは、画像ＩＤ＝１の病変候補ＩＤと、画像ＩＤ＝２の病変候補ＩＤとは、ともに０で同じであるが、画像ＩＤ＝３の病変候補ＩＤと、画像ＩＤ＝２の病変候補ＩＤとは異なるため、この場合、Ｓ１２０１の判定はＹとなる。一方、Ｓ７１０で受信する画像ＩＤがＩＤ＝５の場合、制御部６０５は、画像ＩＤ＝５の病変候補ＩＤと画像ＩＤ＝４及び６の病変候補ＩＤと比較する。ここでは、画像ＩＤ＝５の病変候補ＩＤと画像ＩＤ＝４及び６の病変候補ＩＤとはともに１で同一であるため、Ｓ１２０１の判定はＮとなる。
【００４５】
Ｓ１２０２において、ＬＤ制御部６０６は、Ｓ７０７で取得した病変候補データ及び表示情報に基づき、Ｓ７１０で受信した画像ＩＤの画像に対してローカルディミングを行うと判定するとともに、ローカルディミングの対象領域を算出する。なお、Ｓ７０７で取得した画像ＩＤに対応する病変の大きさが０の場合、ＬＤ制御部６０６は、ローカルディミングの対象領域を大きさ０の領域とし、実質的にローカルディミングを行わない。例えば、画像ＩＤ＝２の場合、Ｓ１２０１でＹとなりＳ１２０２に進むが、病変の大きさ１１０３が０ピクセルであるため、実質的にローカルディミングは行わない。一方、画像ＩＤ＝１０の場合も、Ｓ１２０１でＹとなりＳ１２０２に進むが、病変の大きさ１１０３が０でないため、ローカルディミングの対象領域が算出され、算出された領域に対応する光源についてローカルディミングが行われる。
Ｓ７１１以降は、第１実施例と同様であるため割愛する。
【００４６】
実施例２では、連続的に入力される複数の画像データにおいて、入力される画像データの前又は後の画像データに病変候補が含まれておらず、入力される画像データに病変候補が含まれる場合に、病変候補の位置情報に基づくコントラスト強調処理が行われる。このような制御を行うことで、図１３に示すようにページング読影において新たな病変候補が出現した画像（画像ＩＤ＝３及び１５）と、病変候補が消える直前の画像（画像ＩＤ＝１０及び１８）においてのみコントラスト強調処理が行われる。これにより、ページング読影時に見落としが生じ易い病変の出現タイミングと消失タイミングにおいて観察者が病変に気付き易くすることが可能になる。
なお、実施例２では、病変候補が出現した画像と、消失直前の画像をコントラスト強調処理を行う対象の画像とする例を説明したが、これに限らず、例えば病変候補が出現した画像のみをコントラスト強調処理の対象としても良い。
【００４７】
また、実施例２では、病変候補が出現する直前の画像にはコントラスト強調処理を行わないとしたが、この条件の画像においてもコントラスト強調処理を行っても良い。例えば、病変候補が新たに出現する画像における病変候補の位置及び大きさに基づき、病変候補が新たに出現する直前の画像におけるコントラスト強調処理の対象領域を決定すれば、コントラスト強調処理を行うことができる。これにより、病変候補が新たに出現する画像より１枚早いタイミングでコントラスト強調処理された画像が表示されるため、次の画像で病変候補が出現した際、病変候補がない状態に対する違いがより際立ち、見落としを抑制する効果が期待できる。
また、入力される画像データの前又は後の画像に含まれるオブジェクトの種類（例えば病変候補の種類）と、入力される画像データに含まれるオブジェクトの種類とが異なる場合に、当該オブジェクトの位置情報に基づくコントラスト強調処理を行っても良い。
上記各実施例では、画像データに含まれる病変候補の有無、位置、大きさ等に基づき、当該画像の表示時にローカルディミングを実行要否やローカルディミング制御の対象領域を決定する例を示した。しかし、病変候補は、画像データに含まれる所定のオブジェクトの一例であって、オブジェクトは病変候補に限らない。従って、連続的に入力される複数の画像データは、モダリティにより得られた断層画像データに限らない。
実施例２では、Ｓ７１０で表示対象の画像ＩＤを受信するたびに、前後の画像に同一の病変候補があるか否かの判定を行い、その判定結果に応じて当該画像ＩＤの画像において
ローカルディミングを行うかを決定する例を説明した。しかし、実施例１と同様に、Ｓ７０７に続いて、全画像についてＳ１２０２の処理を予め行ってしまうようにしても良い。この場合、読影開始前に、図１１の病変候補データに基づき、断層画像データに含まれる画像ＩＤの各々について、前後の画像ＩＤに対応する病変候補ＩＤと同じか否かを判定し、ローカルディミングの実行要否及び実行する場合の対象領域が決定される。
【００４８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４９】
１０４：表示装置、６０１：入力部、６０３：病変情報取得部、６０５：制御部、６０８：バックライト、６０９：表示部
【図１】
2017161788.tif 000003
【図２】
2017161788.tif 000004
【図３】
2017161788.tif 000005
【図４】
2017161788.tif 000006
【図５】
2017161788.tif 000007
【図６】
2017161788.tif 000008
【図７】
2017161788.tif 000009
【図８】
2017161788.tif 000010
【図９】
2017161788.tif 000011
【図１０】
2017161788.tif 000012
【図１１】
2017161788.tif 000013
【図１２】
2017161788.tif 000014
【図１３】
2017161788.tif 000015